(57)【要約】【課題】電線集合体３０の曲げ半径を小さくしても、個々の電線３２に加わる曲げ応力がさほど増大しない電線配索構造を提供する。【解決手段】本発明に係る電線配索構造は、相対的に移動する２つの部材間に複数の電線３２を配索するための電線配索構造であって、複数の電線３２が断面略円形になるように束ねられるとともに、その中心線を軸として捻られ、個々の電線３２の形状が略螺旋形になった状態で、前記複数の電線３２の両端が各々の前記部材に固定されていることを特徴とする。このため、電線に加わる曲げ応力が分散され易くなり、従来のように、曲げ応力が電線３２の曲がり部の内側面と外側面とに集中しなくなる。【選択図】      図１
2005020902.tif 000002
【特許請求の範囲】
【請求項１】
相対的に移動する２つの部材間に複数の電線を配索するための電線配索構造であって、
前記複数の電線が断面略円形になるように束ねられるとともに、その中心線を軸として捻られ、個々の電線の形状が略螺旋形になった状態で、前記複数の電線の両端が各々の前記部材に固定されていることを特徴とする電線配索構造。
【請求項２】
相対的に移動する２つの部材間に複数の電線を配索するための電線配索構造であって、
前記両部材間にケーブルベアが掛け渡され、前記複数の電線が断面略円形になるように束ねられるとともに、その中心線を軸として捻られ、個々の電線の形状が略螺旋形になった状態で、前記複数の電線が前記ケーブルベア内に挿通され、その両端が前記ケーブルベアの両端又は前記両部材に固定されていることを特徴とする電線配索構造。
【請求項３】
ケーブルベアと、
断面略円形になるように束ねられるとともに、その中心線を軸に全体が捻られ、個々の形状が略螺旋形になった状態で、前記ケーブルベア内に配置され、両端が前記ケーブルベアの両端に固定された複数の電線と、
を備えることを特徴とする電線ユニット。
【発明の詳細な説明】
【０００１】
【発明の属する技術分野】
本発明は、相対的に移動する２つの部材間に複数の電線を配索するための電線配索構造及び電線ユニットに関する。
【０００２】
【従来の技術】
相対的に移動する２つの部材間に複数の電線を配索する一般的な電線配索構造が特許文献１に記載されている。
この電線配索構造では、図４（Ａ）に示すように、ケーブルベア５１内に複数本の電線５４が横一列にほぼ平行に並べられた状態で配索されている。即ち、ケーブルベア５１の長手方向と電線５４の長手方向（軸方向）とが一致している。このため、ケーブルベア５１の曲がり部分では、図４（Ｂ）に示すように、電線５４もケーブルベア５１の曲げ半径とほぼ等しい曲げ半径で曲げられるようになる。なお、電線５４の曲がり部分には、内側面（ケーブルベア５１に接する面）に縮み方向の曲げ応力が集中し、外側面に延び方向の曲げ応力が集中する。
【０００３】
【特許文献１】
特開平１１−１２３６９１号公報
【０００４】
【発明が解決しようとする課題】
上記した電線配索構造では、例えば、スペース上の理由からケーブルベア５１の曲げ半径を減少させる場合には、それに伴って電線５４に加わる曲げ応力が増加するようになる。この場合、耐久性能の高い電線５４を使用しなければならず、電線５４のコストアップにつながる。
また、上記した電線配索構造のようにケーブルベアを使用せず、複数の電線を束ねた状態で配索することも行われている。複数の電線５４を束ねた場合、各々の電線５４は曲がり部において内周と外周との差を吸収するために、内周側が無理な変形をして曲率が大きくなるため、曲がり癖がつく。そして、以後、この部分で曲がる際には、曲がり癖のとおり大きい曲率で曲がり、これを繰り返すうちに破断することがある。更に、このように束ねられた電線５４がケーブルベア内に挿通されている場合、ケーブルベアによって変形するためのスペースが制限されているため、ケーブルベア内でより無理な変形をして曲がり癖がつき易い。
【０００５】
本発明は、上記問題点を解決するためになされたものであり、本発明が解決しようとする課題は、束ねられた複数の電線（以下、電線集合体という）の曲げ半径を小さくしても個々の電線に大きな曲げ応力が加わらない電線配索構造を提供することである。
【０００６】
【課題を解決するための手段】
上記した課題は、各請求項の発明によって解決される。
請求項１の発明は、相対的に移動する２つの部材間に複数の電線を配索するための電線配索構造であって、前記複数の電線が断面略円形になるように束ねられるとともに、その中心線を軸として捻られ、個々の電線の形状が略螺旋形になった状態で、前記複数の電線の両端が各々の前記部材に固定されていることを特徴とする。
【０００７】
本発明によると、一方の部材に対して他方の部材が一定軌跡で接近することにより、束ねられた複数の電線（電線集合体）が曲げられると、個々の電線は略螺旋形の形状のまま曲げられるようになる。このため、個々の電線に加わる曲げ応力が曲げ方向と捻り方向とに分散され、従来のように、曲げ応力が電線の曲がり部の内側面と外側面とに集中しなくなる。即ち、従来の配索構造では、電線の曲がり部でその電線の内側面が縮まり、外側面が延ばされるのに対し、本発明の配索構造では個々の電線が螺旋形をしているため、電線集合体の曲がり部分で個々の電線は螺旋の傾斜角度が変化するだけである。このため、従来のように、電線の内側面が縮まり、外側面が延ばされるようなことがほとんどない。したがって、電線集合体の曲げ半径を小さくしても、個々の電線に加わる曲げ応力がさほど増大しない。このため、電線集合体の曲げ半径を小さくしても、特に、耐久性能の高い電線を使用する必要がなくなる。
【０００８】
請求項２の発明によると、前記両部材間にケーブルベアが掛け渡され、前記複数の電線が断面略円形になるように束ねられるとともに、その中心線を軸として捻られ、個々の電線の形状が略螺旋形になった状態で、前記複数の電線が前記ケーブルベア内に挿通され、その両端が前記ケーブルベアの両端又は前記両部材に固定されている。
従来のように、電線を単に束ねた状態でケーブルベアに挿通させると、それらの電線が曲げられる際に束ねられた電線の変形がケーブルベアによって制限される。このため、電線がケーブルベア内でより無理な変形をして曲がり癖がつき易いという問題がある。しかし、本発明によると、電線集合体が曲げられても、個々の電線は略螺旋形の形状のまま曲げられるため、前述のように、曲げ応力が電線の曲がり部の内側面と外側面とに集中しなくなる。このため、電線がケーブルベア内で無理な変形をすることがなく、曲がり癖がつき難くなる。
【０００９】
請求項３の発明における電線ユニットは、ケーブルベアと、断面略円形になるように束ねられるとともに、その中心線を軸に全体が捻られ、個々の形状が略螺旋形になった状態で、前記ケーブルベア内に配置され、両端が前記ケーブルベアの両端に固定された複数の電線とを備えている。
このため、請求項１、請求項２の場合と同様に、電線集合体の曲げ半径を小さくしても、耐久性能の高い電線を使用する必要がなくなる。
【００１０】
【発明の実施の形態】
（実施形態１）
以下、図１〜図３に基づいて、本発明の実施形態１に係る電線配索構造の説明を行う。本実施形態に係る電線配索構造は、車両用シート装置のスライド機構に使用される電線配索構造である。ここで、図１は本実施形態に係る電線配索構造を表す全体模式平面図（Ａ図）及び電線部分の拡大模式図（Ｂ図）であり、図２は電線が曲げられる様子を表す模式図である。また、図３はケーブルベアを表す模式平面図である。
【００１１】
車両用シート装置のスライド機構は、図１（Ａ）に示すように、固定ベース２と、その固定ベース２の真上位置で車両前後方向（矢印方向）に往復動作が可能なスライドベース（図示省略）とを備えている。前記スライドベースには、車両用シート装置を動作させる際に使用されるモータやリミットスイッチ等の複数の電気機器１２が取付けられている。また、固定ベース２には、各々の電気機器１２の電線が接続されるコネクタ盤１４が取付けられている。なお、図１（Ａ）には、図面簡略化のため電気機器１２が一台、コネクタ盤１４が一面の場合を例示している。
【００１２】
固定ベース２と前記スライドベースとの間には、図３に示すように、ケーブルベア２０が平面略Ｕ字形の状態で掛け渡されている。ケーブルベア２０は、基端部２２が固定ベース２のコネクタ盤１４の近傍に固定されており、先端部２４が前記スライドベースの電気機器１２の近傍に固定されている。そして、前記スライドベースが固定ベース２に対して前方Ｆに移動すると、ケーブルベア２０の先端部２４がそのスライドベースと共に前方Ｆに移動する（図３  二点鎖線参照）。ケーブルベア２０は、先端部２４の移動に伴って湾曲部分２６よりも基端部２２側の直線部分が順番に湾曲し、その湾曲部分２６の先端部２４側が順番に直線状に伸ばされる。これによって、ケーブルベア２０の湾曲部分２６が等しい曲率で前記スライドベースの移動距離の１／２だけ前方Ｆに移動するようになる。また、前記スライドベースが固定ベース２に対して後方Ｂに移動することにより、同様にケーブルベア２０の湾曲部分２６が同じく等しい曲率で前記スライドベースの移動距離の１／２だけ後方Ｂに移動するようになる。
【００１３】
ケーブルベア２６の内部には、固定ベース２のコネクタ盤１４と前記スライドベースの電気機器１２とを電気的に接続する複数本の電線３２が挿通されている。複数本の電線３２は、断面略円形になるように束ねられるとともに、その中心線を軸として捻られている。これによって、個々の電線３２の形状は、図１（Ｂ）に示すように、略螺旋形になる。そして、上記したように、束ねられた複数の電線３２（以下、電線集合体３０という）の両端がそれぞれクランプ（図示省略）により、ケーブルベア２０の基端部２２と先端部２４とに固定されている。
ここで、電線集合体３０は、長さ約１００ｍｍあたり一回転するように捻るのが好ましい。
即ち、固定ベース２とスライドベース（図示省略）とが本発明の相対的に移動する２つの部材に相当し、ケーブルベア２０及び電線集合体３０が本発明の電線ユニットに相当する。
【００１４】
このように、本実施形態に係る電線配索構造によると、電線集合体３０が、図２（Ａ）に示すように、ケーブルベア２０によって曲げられる際に、個々の電線３２は略螺旋形の形状のまま曲げられるようになる。このため、電線３２に加わる曲げ応力が曲げ方向と捻り方向に分散され、従来のように、曲げ応力が電線３２の曲がり部の内側面と外側面とに集中しなくなる。即ち、従来の配索構造では、電線の曲がり部でその電線の内側面が縮まり、外側面が延ばされるのに対し、本実施形態の配索構造では個々の電線３２が螺旋形をしているため、図２（Ｂ）に示すように、電線集合体３０の曲がり部分で個々の電線３２は螺旋の傾斜角度θ（例えば、θ１→θ３）が変化するだけである。このため、従来のように、電線の内側面が縮まり、外側面が引っ張られるようなことはほとんどない。
したがって、電線集合体３０の曲げ半径を小さくしても、個々の電線３２に加わる曲げ応力がさほど増大しない。このため、電線集合体３０の曲げ半径を小さくしても、特に、耐久性能の高い電線３２を使用する必要がなくなる。
【００１５】
また、一般的に電線を単に束ねた状態でケーブルベアに挿通させると、それらの電線が曲げられる際に束ねられた電線の変形がケーブルベアによって制限される。この場合、電線がケーブルベア内でより無理な変形をして曲がり癖がつき易いという問題がある。しかし、本実施形態によると、電線集合体３０が曲げられても、個々の電線３２は略螺旋形の形状のまま曲げられるため、前述のように、曲げ応力が電線３２の曲がり部の内側面と外側面とに集中しなくなる。このため、電線３２がケーブルベア２０内で無理な変形をすることがなく、曲がり癖がつき難くなる。
【００１６】
なお、本実施形態では車両用シート装置のスライド機構に使用される電線配索構造を例に説明を行ったが、例えば、工作機械やロボット等の電線配索構造に本発明を適用することも可能である。
また、ケーブルベアを使用した電線配索構造を例に説明を行ったが、ケーブルベアを使用しない電線配索構造に本発明を適用することも可能である。
【００１７】
【発明の効果】
本発明によると、電線集合体の曲げ半径を小さくしても、個々の電線に加わる曲げ応力がさほど増大しないため、特に、耐久性能の高い電線を使用する必要がなくなる。
【図面の簡単な説明】
【図１】本発明の実施形態１に係る電線配索構造を表す全体模式平面図（Ａ図）及び電線部分の拡大模式図（Ｂ図）である。
【図２】本発明の実施形態１に係る電線配索構造において電線が曲げられる様子を表す模式図である。
【図３】ケーブルベアを表す模式平面図である。
【図４】従来の電線配索構造を表す斜視図（Ａ図）及び電線が曲げられる様子を表す模式図（Ｂ図）である。
【符号の説明】
２      固定ベース（相対的に移動する２つの部材の一方）
１２    電気機器
１４    コネクタ盤
２０      ケーブルベア（電線ユニット）
３０      電線集合体（電線ユニット）
３２      電線
【図１】
2005020902.tif 000003
【図２】
2005020902.tif 000004
【図３】
2005020902.tif 000005
【図４】
2005020902.tif 000006